(57)【要約】  【課題】  ボルト締めしたヒュージブルリンクを電気接続箱から容易に取り外せるようにする。  【解決手段】  入力端子部２１ａと、複数の出力端子部２１ｃと、入力端子部２１ａと出力端子部２１ｃとの間に細幅部としたヒュージブルリンク部２１ｄとを備えた導電性金属板からなるバスバー２１を樹脂モールドにより一体的に形成したヒュージブルリンク２０を設け、該ヒュージブルリンク２０を電気接続箱１０の本体ケース１１に収容し、入力端子部２１ａと電源線ｗ側の圧着端子４０とをボルト締めにより接続している電気接続箱１０であって、入力端子部２１ａと電源線ｗ側の圧着端子４０とのボルト締め結合部が本体ケース１１の上面１１ａよりも高い位置もしくは本体ケース１１に設けた切欠１１ｂに対向する位置に配置され、上記ボルト締め結合部の対向位置にボルト締め解除作業用の空間Ｓが形成される構成としている。  【選択図】  図１
2005168178.tif 000002
【特許請求の範囲】
【請求項１】
入力端子部と、複数の出力端子部と、該入力端子部と出力端子部との間に細幅溶断部からなるヒュージブルリンク部を備えた導電性金属板からなるバスバーの一部をハウジングに固定して一体化し、これを本体ケースに着脱自在に収容した状態で、上記バスバーの上記入力端子部と電源線端末の端子とのボルト締め結合部を上記本体ケースより上方に突出させ、あるいは、上記本体ケースの周壁に設けた切欠と対向する位置に配置させ、該本体ケースより上記バスバーを固定した上記ハウジングを取り出すことなく、ボルト締め解除作業およびボルト締め作業が行える構成としていることを特徴とする電気接続箱。
【請求項２】
入力端子部と、複数の出力端子部と、該入力端子部と出力端子部との間に細幅溶断部からなるヒュージブルリンク部を備えた導電性金属板からなるバスバーの一部をハウジングに固定して一体化し、これを本体ケースに着脱自在に収容した状態で、上記バスバーの上記入力端子部を上記本体ケースの上面側に水平方向に配置し、該入力端子部に垂直配置する中継バスバーの上端を水平方向に屈折したボルト締め結合部を重ねあわせてボルト結合すると共に、該中継バスバーの下端部に電源線端末の端子とボルト締め結合し、上記本体ケースより上記バスバーを固定した上記ハウジングを取り出すことなく、ボルト締め解除作業およびボルト締め作業が行える構成としていることを特徴とする電気接続箱。
【請求項３】
上記本体ケースに上記バスバーを固定したハウジングを少なくとも２つ着脱自在に収容し、これらハウジングから突出する入力端子部を上記電源線端末の端子もしくは上記中継バスバーのボルト締め結合部に重ね合わせ、ボルト締めにより一括で接続している請求項１または請求項２に記載の電気接続箱。
【発明の詳細な説明】
【技術分野】
【０００１】
本発明は、電気接続箱に関し、詳しくは、バスバーに細幅溶断部からなるヒュージブルリンクを設けたインテクレイテッドＦＬの入力端子部と電源線端末の端子とをボルト締め結合した電気接続箱において、ヒュージブルリンクの交換が容易に行えるようにして、サービス性の改善をはかるものである。
【背景技術】
【０００２】
従来、自動車に搭載する電気接続箱では、ヒュージブルリンクの端子と電線端末の端子との接続はボルト締めで行われている場合が多い。例えば、図６に示す特開平１０−２８３９０７号では、電気接続箱１の本体ケース２の上面に形成されたヒュージブルリンク収容部３にヒュージブルリンク４を収容すると、該ヒュージブルリンク４の端子部５が本体ケース２の内部に配置され、本体ケース２内で電線端末の端子６とボルト締めにより接続される。ヒュージブルリンク４の端子部５と電線端末の端子６とをボルト締めにより接続した後、本体ケース２の下面側にロアカバー７を、上面側にアッパーカバー８を被せてロック結合している。
【０００３】
しかしながら、上記電気接続箱の構成とすると、本体ケース２内でヒュージブルリンク４の端子部５と電線端末の端子６とをボルト締めにより接続しているため、ヒュージブルリンク４を取り外して交換する際には、まず、電気接続箱１を車体から取り外し、本体ケース２よりロアカバー７を外してヒュージブルリンクの端子部５と電線端末の端子６とを締結しているボルトを外し、次いで、本体ケース２よりアッパーカバー８を外してヒュージブルリンク４を抜き取る必要があり、取り外し作業が非常に繁雑になる問題がある。
【特許文献１】特開平１０−２８３９０７号公報
【発明の開示】
【発明が解決しようとする課題】
【０００４】
本発明は上記問題に鑑みてなされたものであり、ボルト締めしたヒュージブルリンクを電気接続箱から容易に取り外せるようにすることを課題としている。
【課題を解決するための手段】
【０００５】
上記課題を解決するため、本発明は、第１に、入力端子部と、複数の出力端子部と、該入力端子部と出力端子部との間に細幅溶断部からなるヒュージブルリンク部を備えた導電性金属板からなるバスバーの一部をハウジングに固定して一体化し、これを本体ケースに着脱自在に収容した状態で、上記バスバーの上記入力端子部と電源線端末の端子とのボルト締め結合部を上記本体ケースより上方に突出させ、あるいは、上記本体ケースの周壁に設けた切欠と対向する位置に配置させ、該本体ケースより上記バスバーを固定した上記ハウジングを取り出すことなく、ボルト締め解除作業およびボルト締め作業が行える構成としていることを特徴とする電気接続箱を提供している。
【０００６】
上記構成とすると、上記バスバーを備えたヒュージブルリンクの入力端子部と電源線端末の端子とをボルト締めするボルト締め結合部を電気接続箱の本体ケース内ではなく、上面側に設けているため、ヒュージブルリンクを取り外す際には、本体ケースからアッパーカバーを取り外すだけで上記ボルト締め結合部が外部に露出し、ボルトの締結を解くことができ、ヒュージブルリンクの取り外しを容易にすることができる。また、上記ボルト締め結合部を本体ケースの上面よりも高い位置もしくは本体ケースに設けた切欠に対向する位置に配置して、ボルト締め結合部に対向する位置にボルトを取り外すためのスペースを設けているため、ボルトを容易に取り外してヒュージブルリンクを抜き取ることができる。
また、ヒュージブルリンクを本体ケース内に収容した状態でヒュージブルリンクの入力端子部と電源線端末の端子とをボルト締めできるため、これらのボルト締め作業を容易にすることができる。
【０００７】
また、本発明は、第２に、入力端子部と、複数の出力端子部と、該入力端子部と出力端子部との間に細幅溶断部からなるヒュージブルリンク部を備えた導電性金属板からなるバスバーの一部をハウジングに固定して一体化し、これを本体ケースに着脱自在に収容した状態で、上記バスバーの上記入力端子部を上記本体ケースの上面側に水平方向に配置し、該入力端子部に垂直配置する中継バスバーの上端を水平方向に屈折したボルト締め結合部を重ねあわせてボルト結合すると共に、該中継バスバーの下端部に電源線端末の端子とボルト締め結合し、上記本体ケースより上記バスバーを固定した上記ハウジングを取り出すことなく、ボルト締め解除作業およびボルト締め作業が行える構成としていることを特徴とする電気接続箱を提供している。
【０００８】
上記構成とすると、電気接続箱の本体ケースの上面側にヒュージブルリンクの入力端子部のボルト締め結合部を水平方向、即ち、入力端子部のボルト締結面が上面となるように突出させているため、ボルト締め解除作業及びボルト締め作業を上方から容易にすることができる。
また、電源線を本体ケースの下方から上面側まで配線する必要がなく、また、ヒュージブルリンクの入力端子部と電源線の端子とを薄板の中継バスバーにより接続しているため、省スペース化を図ることができ電気接続箱の小型化することができる。
【０００９】
上記本体ケースに上記バスバーを固定したハウジングを少なくとも２つ着脱自在に収容し、これらハウジングから突出する入力端子部を上記電源線端末の端子もしくは上記中継バスバーのボルト締め結合部に重ね合わせ、ボルト締めにより一括で接続する構成としてもよい。
【００１０】
上記構成とすると、１回のボルト締め解除作業またはボルト締め作業で複数のヒュージブルリンクの入力端子部を電源線端末の端子から締結解除または締結することができる。  本発明では、ヒュージブルリンクを本体ケースに収容した状態でボルト締め解除作業及びボルト締め作業をすることができるため、一括でのボルト締め解除またはボルト締めも容易にすることができる。
【００１１】
上記バスバーの一部をモールドしてハウジングを成形して一体化し、あるいはハウジング内に圧入固定やネジ止め固定してハウジングと一体化している。
【発明の効果】
【００１２】
以上の説明より明らかなように、本発明によれば、ヒュージブルリンクの入力端子部と電源線側の端子とをボルト締めするボルト締め結合部を本体ケース内ではなく、本体ケースの上面側に設けているため、ヒュージブルリンクを取り外す際には、本体ケースからアッパーカバーを取り外すだけで上記ボルト締め結合部が外部に露出され、ボルトの締結を解くことができ、ヒュージブルリンクの取り外しを容易にすることができる。
【００１３】
また、第１の本発明では、上記ボルト締め結合部を本体ケースの上面よりも高い位置もしくは本体ケースに設けた切欠に対向する位置に配置して、ボルト締め結合部に対向する位置にボルトを取り外すためのスペースを設けているため、ボルトを容易に取り外してヒュージブルリンクを抜き取ることができ、かつボルト締め作業も容易にすることができる。
【００１４】
第２の本発明では、電気接続箱の本体ケースの上面側にヒュージブルリンクの入力端子部のボルト締め結合部を水平方向、即ち、入力端子部のボルト締結面が上面となるように突出させているため、ボルト締め解除作業及びボルト締め作業を上方から容易にすることができる。
【発明を実施するための最良の形態】
【００１５】
本発明の実施形態を図面を参照して説明する。
図１乃至図３は、本発明の第１実施形態を示す。
【００１６】
電気接続箱１０（図中、アッパーカバー省略）の本体ケース１１は、第１ケース１２と第２ケース１３を水平方向に組み付けることにより形成している。第１ケース１２の上面１２ａには、図１（Ａ）に示すように、第１インテグレイテッドヒュージブルリンク２０（以下、第１ヒュージブルリンク２０と略称する）を収容する第１ヒュージブルリンク収容部１４と第２インテグレイテッドヒュージブルリンク３０（以下、第２ヒュージブルリンク３０と略称する）を収容する第２ヒュージブルリンク収容部１５を設けている。一方、第２ケース１３の上面１３ａには複数のヒューズ収容部１６とリレー収容部１７を設けている。
【００１７】
第１ケース１２の第１ヒュージブルリンク収容部１４の側方には、電源線ｗの端末に接続した圧着端子４０のボルト孔４１を穿設した電気接続部４０ａを下方から挿入する圧着端子収容部１８を設け、該圧着端子収容部１８内には予めナット（図示せず）が埋設されている。また、圧着端子収容部１８の近傍に第１ヒュージブルリンク２０の入力端子部２１ａと第２ヒュージブルリンク３０の入力端子部３１ａが挿入される端子挿入溝１９を設けている。なお、端子挿入溝１９に挿入された入力端子部２１ａ、３１ａと圧着端子収容部１８に収容された圧着端子４０を側方からボルト締め固定できるように、入力端子部２１のボルト孔２１ｂに対向する位置は開口としている。
【００１８】
第１ケース１２に収容する第１、第２ヒュージブルリンク２０、３０は、それぞれバスバー２１、３１を樹脂モールドにより一体形成している。第１ヒュージブルリンク２０内にモールドされるバスバー２１は、図３に示すように、一端にボルト孔２１ｂを穿設した入力端子部２１ａを設ける一方、他端に複数の出力端子部２１ｃを設け、該入力端子部２１ａと出力端子部２１ｃとの間に細幅部としたヒュージブルリンク部２１ｄを設けている。また、第２ヒュージブルリンク３０にモールドされるバスバー３１もバスバー２１と同様、入力端子部３１ａ、出力端子部、ヒュージブルリンク部（図示せず）を設けている。
【００１９】
第１、第２ヒュージブルリンク２０、３０は、図２に示すように、バスバー２１、３１を樹脂モールドしているハウジング部２２、３２からボルト孔２１ｂ、３１ｂを穿設した入力端子部２１ａ、３１ａを突出させている。第１ヒュージブルリンク２０の入力端子部２１ａは、ハウジング部２２の側面の上部から側方に向けて突出しており、第１ヒュージブルリンク２０を第１ヒュージブルリンク収容部１４に収容したときに端子挿入溝１９に挿入される。一方、第２ヒュージブルリンク３０の入力端子部３１ａは、第１、第２ヒュージブルリンク２０、３０を第１、第２ヒュージブルリンク収容部１４、１５にそれぞれ挿入したときに、入力端子部３１ａの基部側が第１ヒュージブルリンク２０側に向けて突出していると共に、該基部側の先端から屈曲させた屈曲側は、第１ヒュージブルリンク２０の入力端子部２１ａと当接するように下方に向けて屈曲している。
【００２０】
また、第１、第２ヒュージブルリンク２０、３０のバスバー２１、３１に設けたヒュージブルリンク部２１ｃ、３１ｃをハウジング部２２、３２に設けた窓部２３、３３から露出させて、過電流が流れたときにヒュージブルリンク部２１ｄ、３１ｄが確実に溶断されるようにすると共に、ヒュージブルリンク部２１ｃ、３１ｃが溶断しているか否かを目視できるようにしている。さらに、ハウジング部２２、３２の下面側、即ち、第１、第２ヒュージブルリンク収容部１４、１５の底面１４ａ（第２ヒュージブルリンク収容部１５の底面は図示せず）との当接面側に出力端子部２１ｃ（バスバー３１の出力端子部は図示せず）を露出させている。
なお、本実施形態では、樹脂モールドによりバスバーをハウジング部内に埋設しているが、樹脂製のケースからなるハウジングにバスバーを収容する構成としてもよい。
【００２１】
上記第１ケース１２の第１、第２ヒュージブルリンク収容部１４、１５に第１、第２ヒュージブルリンク２０、３０をそれぞれ収容すると、第１、第２ヒュージブルリンク２０、３０の入力端子部２１ａ、３１ａが第１ケース１２の端子挿入溝１９に挿入される。このとき、入力端子部２１ａ、３１ａのボルト孔２１ｂ、３１ｂと圧着端子収容部１８に収容した圧着端子４０のボルト孔４１が連通し、ボルト孔２１ｂ、３１ｂ、４１にボルトを通してナット・ボルト締めしている。また、第１、第２ヒュージブルリンク２０、３０の出力端子部が、第１、第２ヒュージブルリンク収容部１４、１５の底面１４ａ（第２ヒュージブルリンク収容部１５の底面は図示せず）に設けた端子孔１４ｂ（第２ヒュージブルリンク収容部１５の端子孔は図示せず）に対向する位置に配置され、端子孔１４ｂに下方から挿入した出力側電線端末の端子（図示せず）と接続される。
【００２２】
上記第１ケース１２の端子挿入溝１９に挿入した入力端子部２１ａ、３１ａ及び圧着端子収容部１８に収容した圧着端子４０は、図１（Ａ）に示すように、第２ケース１３のヒューズ収容部１６に対向する位置に配置され、図１（Ｂ）に示すように、ヒューズ収容部１６に収容したヒューズ４２よりも高い位置に配置される。よって、図１（Ａ）（Ｂ）に斜線で示すボルト取り外し作業用の空間Ｓが形成され、第１、第２ヒュージブルリンク２０、３０を交換する場合には、この作業スペースＳを利用して第１、第２ヒュージブルリンク２０、３０の入力端子部２１ａ、３１ａ及び圧着端子４０をボルト締めしているボルトを容易に外すことができる。
【００２３】
上記構成とすると、第１、第２ヒュージブルリンク２０、３０の入力端子部２１ａ、３１ａと電源線側の圧着端子４０とをボルト締めするボルト締め結合部を本体ケース内ではなく、本体ケース１１の上面側に設けているため、第１、第２ヒュージブルリンク２０、３０を取り外す際には、本体ケース１１からアッパーカバーを取り外すだけで上記ボルト締め結合部が外部に露出され、ボルトの締結を解くことができ、第１、第２ヒュージブルリンク２０、３０の取り外しを容易にすることができる。
また、第１ケース１２の端子挿入溝１９に挿入した入力端子部２１ａ、３１ａ及び圧着端子収容部１８に収容した圧着端子４０をヒューズ収容部１６に収容したヒューズ４２よりも高い位置に配置しているため、ヒューズ４２がボルト取り外し作業の邪魔になることなく、ボルトを容易に外すことができる。
なお、本実施形態ではバスバーを樹脂モールドしてヒュージブルリンクを形成しているが、樹脂製のケースからなるハウジング内にバスバーを収容し、該ハウジングをネジ締めまたはロック結合で閉じる構成としてもよい。
【００２４】
図４は、本発明の第２実施形態を示し、本実施形態では、第１ヒュージブルリンク２０の入力端子部２１ａと電源線ｗの端末に接続した圧着端子４０とのボルト締め結合部を本体ケース１１の上面１１ａよりも低い位置に設けているが、本体ケース１１の周壁に切欠１１ｂを設けて、上記ボルト締め結合部の対向位置にボルト締め解除作業用の空間Ｓを設けている。なお、切欠１１ｂはアッパーカバー（図示せず）により閉鎖されるようにしている。
【００２５】
上記構成としても、第１ヒュージブルリンク２０の入力端子部２１ａと電源線ｗの端末に接続した圧着端子４０とのボルト締め結合部の対向位置にボルト締め解除作業用の空間Ｓを設けているため、第１ヒュージブルリンク２０を交換する際に、上記空間Ｓを利用してボルトを外し第１ヒュージブルリンク２０を簡単に取り外すことができる。
なお、他の構成及び作用効果は第１実施形態と同様のため、同一の符号を付して説明を省略する。
【００２６】
図５は、本発明の第３実施形態を示し、第１ヒュージブルリンク２０の入力端子部２１ａと電源線ｗとの接続方法を第１実施形態と相違させている。上記第１実施形態では、第１ヒュージブルリンク２０の入力端子部２１ａと電源線ｗの端末に接続した圧着端子４０を直接当接させてボルト締め固定しているが、本実施形態では、両端子の間に電気接続箱の本体ケース内で垂直方向に延在する中継バスバー５０を介在させている。
【００２７】
本実施形態のヒュージブルリンク２０’は、入力端子部２１ａ’を本体ケースの上面側でハウジング部２２’から水平方向、即ち、入力端子部２１ａ’のボルト締結面を上方に向けて突出している。電気接続箱内に配置した中継バスバー５０には上下両端にボルト孔（図示せず）が穿設されており、上端を水平方向に屈曲させて、ヒュージブルリンク２０’の入力端子部２１ａ’と重ね合わせてボルト締め結合部とし、該ボルト締め結合部でヒュージブルリンク２０’の入力端子部２１ａ’と中継バスバー５０の上端部をボルト締め結合している。一方、中継バスバー５０の下端部に穿設したボルト孔と圧着端子４０のボルト孔を連通させてボルト締め結合している。
【００２８】
上記構成とすると、第１ヒュージブルリンク２０’の入力端子部２１ａ’を本体ケースの上面側で水平方向に突出させているため、電気接続箱からアッパーカバーのみを取り外して、上方から簡単に第１ヒュージブルリンク２０’を取り外して交換することができる。  なお、第１実施形態と同様、本体ケース内に複数のヒュージブルリンクを収容してもよく、この場合、中継バスバーを分岐させて、任意の位置に配置したヒュージブルリンクの入力端子部にそれぞれ接続してもよいし、複数の入力端子部を重ね合わせて一括で中継バスバーにボルト締めしてもよい。
また、他の構成及び作用効果は第１実施形態と同様のため、同一の符号を付して説明を省略する。
【図面の簡単な説明】
【００２９】
【図１】本発明の第１実施形態の電気接続箱を示し、（Ａ）は平面図、（Ｂ）は正面図である。
【図２】第１ケース及び第１、第２ヒュージブルリンクの斜視図である。
【図３】第１ヒュージブルリンクにモールドするバスバーの平面図である。
【図４】第２実施形態の電気接続箱を示す図面である。
【図５】第３実施形態のヒュージブルリンクと電源線の接続構造を示す斜視図である。
【図６】（Ａ）（Ｂ）は従来例を示す図面である。
【符号の説明】
【００３０】
１０  電気接続箱
１１  本体ケース
１１ａ  本体ケースの上面
１１ｂ  切欠
１２  第１ケース
１３  第２ケース
１４  第１ヒュージブルリンク収容部
１５  第２ヒュージブルリンク収容部
１６  ヒューズ収容部
１７  リレー収容部
１８  圧着端子収容部
１９  端子挿入溝
２０  第１インテグレイテッドヒュージブルリンク
２１、３１  バスバー
２１ａ  入力端子部
２１ｃ  出力端子部
２１ｄ  ヒュージブルリンク部
２２、３２  ハウジング部
２３、３３  窓部
３０  第２インテグレイテッドヒュージブルリンク
４０  圧着端子
４２  ヒューズ
Ｓ  ボルト締め解除作業用の作業空間
ｗ  電源線
【図１】
2005168178.tif 000003
【図２】
2005168178.tif 000004
【図３】
2005168178.tif 000005
【図４】
2005168178.tif 000006
【図５】
2005168178.tif 000007
【図６】
2005168178.tif 000008